(57)【要約】      （修正有）【課題】構造が簡単で、操作も容易になる枠の高さが調節可能なベビーベッドを提供する。【解決手段】支持フレーム１０と固定バー１４を含み、前記固定バー１４は前記支持フレーム１０の上に取付けられ、前記支持フレーム１０は複数の側部１０１を含み、その中の１つの側部は該側部の上端にある枠と前記枠の両側に連接する接合具を含み、前記接合具は前記固定バー１４に移動可能に設けられ、且つ異なる高さで前記固定バー１４にロックされることができ、前記枠の高さを異なる高さに切替えられる。従来技術と対比すると、該ベビーベッドは構造が簡単で、操作も便利になる。【選択図】図１
0003176235.tif 000002
【実用新案登録請求の範囲】
【請求項１】
支持フレームと固定バーを含み、前記固定バーは前記支持フレームの上に取付けられ、前記支持フレームは複数の側部を含み、その中の１つの側部は該側部の上端にある枠と前記枠の両側に連接する接合具を含み、前記接合具は前記固定バーに移動可能に設けられ、且つ異なる高さで前記固定バーにロックされることができ、前記枠の高さを異なる高さに切替えられることを特徴とするベビーベッド。
【請求項２】
前記枠の両端にそれぞれ前記接合具と枢接することを特徴とする請求項１記載のベビーベッド。
【請求項３】
前記支持フレームの複数の側部の間には縦バーを介して連接され、前記固定バーは前記縦バーの上部に取付けられることを特徴とする請求項１記載のベビーベッド。
【請求項４】
前記ベビーベッドは高さ調整機構をさらに含み、前記高さ調整機構は前記接合具又は前記固定バーに設けられることにより、前記接合具を前記固定バーに対して異なる高さにロックされることを特徴とする請求項１〜３の何れか一つに記載のベビーベッド。
【請求項５】
前記固定バーは長溝を有し、前記接合具は前記固定バーの一端から外凸する凸出部が形成され、前記凸出部は前記長溝内に插入されることにより、前記接合具は前記長溝の長手方向に沿って前記固定バーに対して摺動されることを特徴とする請求項４記載のベビーベッド。
【請求項６】
前記高さ調整機構は操作具とロック具を含み、前記操作具は前記接合具に移動可能に設けられ、前記ロック具は前記接合具内に移動可能に設けられ且つ前記固定バーと係合することにより前記接合具を前記固定バーに対して異なる高さにロックされ、前記操作具を操作して、前記ロック具を前記固定バーから離脱させることを特徴とする請求項４記載のベビーベッド。
【請求項７】
前記接合具の内外の両側とも前記操作具が設けられることを特徴とする請求項６記載のベビーベッド。
【請求項８】
前記接合具には縦方向に沿って長穴が開設され、前記操作具には取付け穴が開設され、固定具は前記取付け穴と長穴を通ることにより、前記操作具は前記長穴の距離内に縦方向に沿って前記接合具に対して上下に摺動できることを特徴とする請求項６記載のベビーベッド。
【請求項９】
前記ロック具には傾斜穴が開設され、前記傾斜穴の開設方向は水平方向と鋭角になり、固定具は前記取付け穴、長穴と傾斜穴を通ることにより、前記操作具は前記接合具に対して上下に摺動する際には、前記ロック具は前記接合具に対して左右に移動させることを特徴とする請求項８記載のベビーベッド。
【請求項１０】
前記ロック具は係合具とロックピンを含み、前記係合具は前記ロックピンと係合し、前記傾斜穴は前記係合具に開設され、前記固定バーには異なる高さに複数の係合穴が設けられ、前記ロックピンは前記係合穴と係合又は離脱可能であることを特徴とする請求項９記載のベビーベッド。
【請求項１１】
前記係合具には凹溝が設けられ、前記ロックピンには係合凸部が設けられ、前記係合凸部は前記凹溝内に係入することを特徴とする請求項１０記載のベビーベッド。
【請求項１２】
前記ロック具はロックピンを含み、前記固定バーには異なる高さに複数の係合穴が設けられ、前記ロックピンは前記係合穴と係合又は離脱可能であることを特徴とする請求項６記載のベビーベッド。
【請求項１３】
前記高さ調整機構は復帰具をさらに含み、前記復帰具の一端は前記接合具と当接し、前記復帰具の他端は前記固定具と当接することを特徴とする請求項８記載のベビーベッド。
【請求項１４】
前記復帰具はバネであることを特徴とする請求項１３記載のベビーベッド。
【請求項１５】
前記接合具には開口が開設けられ、前記固定バーは前記開口内に插入することを特徴とする請求項４記載のベビーベッド。
【請求項１６】
前記接合具には貫通穴が設けられ、前記高さ調整機構は前記固定バーに設けられる異なるの高さの複数の位置決め穴と、前記固定バー内に設けられる複数のロック具を含み、且つ前記ロック具には前記位置決め穴から伸出するロック部を含み、前記接合具は固定具に沿って上下に摺動する際に、前記ロック具のロック部は前記貫通穴と位置決め穴と係合することにより、前記接合具を前記固定バーに対して異なる高さにロックされることを特徴とする請求項１５記載のベビーベッド。
【請求項１７】
前記ベビーベッドには吊り床をさらに含み、前記吊り床は前記支持フレームに吊り下げされ、前記吊り床の前記支持フレームに対して前記枠を有する側部には可動上部を有し、前記枠を有する側部は低い第二の高さまで移動された時に、前記可動上部は前記枠外へ回すことを特徴とする請求項１記載のベビーベッド。
【請求項１８】
前記吊り床はリティナにより脱着自在に前記支持フレームに吊り下げられることを特徴とする請求項１７記載のベビーベッド。
【請求項１９】
前記複数の側部にはそれぞれポケットを有し、前記ポケット内には、補強板が配置されることを特徴とする請求項１７記載のベビーベッド。
【請求項２０】
前記接合具の下側に前記操作具が設けられることを特徴とする請求項６記載のベビーベッド。
【請求項２１】
前記接合具にはロック具をさらに含み、固定具内には操作具の上下移動用の空間、ロック具の左右移動と復帰具の左右伸縮用の空間が形成され、前記操作具、前記ロック具と前記復帰具はそれぞれ前記固定具の各空間内に設けられ、前記操作具は前記固定具に上下移動可能に設けられ、前記ロック具は前記固定具に左右に移動可能に設けられることを特徴とする請求項６記載のベビーベッド。
【請求項２２】
前記ロック具には傾斜面が開設され、前記操作具は前記傾斜面と当接し、前記操作具は該前記接合具に対して上下に摺動する際には、前記ロック具は前記接合具に対して左右に移動させることを特徴とする請求項２１記載のベビーベッド。
【請求項２３】
前記ロック具は係合具とロックピンを含み、前記係合具は前記ロックピンと係合し、前記傾斜面は前記係合具に開設され、前記固定バーには異なる高さに複数の係合穴が設けられ、前記ロックピンは前記係合穴と係合又は離脱可能であることを特徴とする請求項２２記載のベビーベッド。
【請求項２４】
前記接合具には復帰具をさらに含み、前記復帰具の一端は前記ロック具と当接し、前記復帰具の他端は前記固定具と当接することを特徴とする請求項２１記載のベビーベッド。
【考案の詳細な説明】
【技術分野】
【０００１】
本考案は子供用品の分野に関し、具体的には枠の高さが調節可能なベビーベッドに関する。
【背景技術】
【０００２】
従来のベビーベッドは一般的に床フレーム、床板及び枠からなり、前記床板は前記床フレームに取り付けられ、前記枠は前記床板の上方に設けられる。乳幼児が前記枠を登ることを防止するために、前記枠は一般的に一定の高さを有する。しかし、特に乳幼児を抱き上げ・降ろす又は親が眠る時に乳幼児の世話をするときに、このような設計は親が乳幼児の世話をする際に不便である。このため、枠の高さが調節可能なベビーベッドが設計されている。
【０００３】
しかし、従来の前記枠の高さが調節可能な機構の大部分は構造が複雜で、操作に不便である。
【考案の概要】
【考案が解決しようとする課題】
【０００４】
本考案は、上記の問題点に鑑み、構造が簡単で、操作も容易になる枠の高さが調節可能なベビーベッドを提供することを目的とする。
【課題を解決するための手段】
【０００５】
上記目的を達成するために、本考案にかかるベビーベッドは、支持フレームと固定バーを含み、前記固定バーは前記支持フレームの上に取付けられ、前記支持フレームは複数の側部を含み、その中の１つの側部は該側部の上端にある枠と前記枠の両側に連接する接合具を含み、前記接合具は前記固定バーに移動可能に設けられ、且つ異なる高さで前記固定バーにロックされることができ、前記枠の高さを異なる高さに切替えられることを特徴とする構成とした。
【０００６】
従来技術と対比すると、本考案のベビーベッドの接合具は固定バーに移動可能に設けられ、且つ接合具は枠の両端に連接するので、前記接合具が前記固定バーに対して異なる高さにロックされる過程には、前記側部を異なる高さの間に切替えられることができ、親が乳幼児を前記ベビーベッドから抱上げ、又は前記ベビーベッドへ置くことが便利になり、且つ前記ベビーベッドの構造が簡単で、操作も便利になる。
【０００７】
具体的に、前記枠の両端にそれぞれ前記接合具と枢接する。
【０００８】
具体的に、前記支持フレームの複数の側部の間には縦バーを介して連接され、前記固定バーは前記縦バーの上部に取付けられる。
【０００９】
前記ベビーベッドは高さ調整機構をさらに含み、前記高さ調整機構は前記接合具又は前記固定バーに設けられることにより、前記接合具を前記固定バーに対して異なる高さにロックされることが望ましい。
【００１０】
本考案の一実施例に、前記固定バーは長溝を有し、前記接合具は前記固定バーの一端から外凸する凸出部が形成され、前記凸出部は前記長溝内に插入されることにより、前記接合具は前記長溝の長手方向に沿って前記固定バーに対して摺動されることが望ましい。
【００１１】
具体的に、前記高さ調整機構は操作具とロック具を含み、前記操作具は前記接合具に移動可能に設けられ、前記ロック具は前記接合具内に移動可能に設けられ且つ前記固定バーと係合することにより前記接合具を前記固定バーに対して異なる高さにロックされ、前記操作具を操作して、前記ロック具を前記固定バーから離脱させる。
【００１２】
前記接合具の内外の両側とも前記操作具が設けられることが望ましい。
【００１３】
具体的に、前記接合具には縦方向に沿って長穴が開設され、前記操作具には取付け穴が開設され、固定具は前記取付け穴と長穴を通ることにより、前記操作具は前記長穴の距離内に縦方向に沿って前記接合具に対して上下に摺動できる。
【００１４】
具体的に、前記ロック具には傾斜穴が開設され、前記傾斜穴の開設方向は水平方向と鋭角になり、固定具は前記取付け穴、長穴と傾斜穴を通ることにより、前記操作具は前記接合具に対して上下に摺動する際には、前記ロック具は前記接合具に対して左右に移動させる。
【００１５】
具体的に、前記ロック具は係合具とロックピンを含み、前記係合具は前記ロックピンと係合し、前記傾斜穴は前記係合具に開設され、前記固定バーには異なる高さに複数の係合穴が設けられ、前記ロックピンは前記係合穴と係合又は離脱可能である。
【００１６】
又は、前記ロック具はロックピンを含み、前記固定バーには異なる高さに複数の係合穴が設けられ、前記ロックピンは前記係合穴と係合又は離脱可能である。
【００１７】
前記高さ調整機構は復帰具をさらに含み、前記復帰具の一端は前記接合具と当接し、前記復帰具の他端は前記固定具と当接するが望ましい。
【００１８】
具体的に、前記復帰具はバネである。
【００１９】
本考案の他の実施例は、前記接合具には開口が開設けられ、前記固定バーは前記開口内に插入する。
【００２０】
具体的に、前記接合具には貫通穴が設けられ、前記高さ調整機構は前記固定バーに設けられる異なるの高さの複数の位置決め穴と、前記固定バー内に設けられる複数のロック具を含み、且つ前記ロック具には前記位置決め穴から伸出するロック部を含み、前記接合具は前記固定具に沿って上下に摺動する際に、前記ロック具のロック部は前記貫通穴と位置決め穴と係合することにより、前記接合具を前記固定バーに対して異なる高さにロックされる。
【００２１】
前記ベビーベッドには吊り床をさらに含み、前記吊り床は前記支持フレームに吊り下げされ、前記吊り床の前記支持フレームに対して記枠を有する側部には可動上部を有し、前記枠を有する側部は低い第二の高さまで移動された時に、前記可動上部は前記枠外へ回すことが望ましい。
【００２２】
具体的に、前記吊り床はリティナにより脱着自在に前記支持フレームに吊り下げられる。
具体的に、前記複数の側部にはそれぞれポケットを有し、前記ポケット内には、補強板が配置される。
【図面の簡単な説明】
【００２３】
【図１】本考案のベビーベッドの第一実施例の斜視図を示し、前記ベビーベッドは展開状態になり、前記枠は高さ調整前の状態になる。
【図２】図１に示すベビーベッドの枠の高さ調整後の状態の図。
【図３】図２に示す吊り床の一側の可動上部が前記枠の外へ回される状態の図。
【図４】図１に示す枠の高さ調整前の左側外部の一部の図。
【図５】図４の吊り床を除いた他の角度の一部の図。
【図６】図１の吊り床を除いた状態の図。
【図７】図２の吊り床の可動上部を取外した状態の図。
【図８】図６に示す枠の高さ調整前、前記ベビーベッドが折り畳んだ状態の図。
【図９】図７に示す枠の高さ調整後、前記ベビーベッドを折り畳んだ状態の図。
【図１０】図６に示すＡ部分の拡大図。
【図１１】図１０他の角度の斜視図。
【図１２】図１０の一部分解の図、且つ前記ロック具は固定バーに係合してロックされる。
【図１３】図１２に示すロック具は固定バーから離脱して解錠された状態の図。
【図１４】図１２の固定バーを除いた分解図。
【図１５】図１３に示すロック具の拡大図。
【図１６】本考案ベビーベッド第二実施例の斜視図を示し、枠の高さ調整前で、且つ吊り床が示されていない。
【図１７】図１６に示すベビーベッドの第二実施例の斜視図を示し、枠の高さ調整後、且つ吊り床が示されていない。
【図１８】図１７に示す枠の高さ調整前の左側部の一部の図。
【図１９】図１８の一部分解の図。
【図２０】本考案のベビーベッドの第三実施例の斜視図。
【図２１】図２０の固定バーを除いた分解図。
【図２２】図２０の断面図。
【考案を実施するための形態】
【００２４】
以下、図面を参照しつつ、本考案の実施の形態について説明する。以下の説明では、類似の部品には類似の符号を付してある。
【００２５】
図１及び図３に示すように、本考案ベビーベッドの第一実施例１００は支持フレーム１０、吊り床１２、固定バー１４及び高さ調整機構１６を含み、前記支持フレーム１０は複数の側部１０１と縦バー１０２とを含み、前記複数の側部１０１の間には前記縦バー１０２を介して連接され、前記吊り床１２は前記支持フレーム１０に脱着自在に吊り下げられ、前記固定バー１４と高さ調整機構１６とは前記支持フレーム１０に取り付けられ、且つ前記固定バー１４は前記縦バー１０２の上部に位置する。
【００２６】
図３〜図７に示すように、前記支持フレーム１０の側部１０１は枠１０１１、接合具１０１２及び座布１０１３を含み、前記枠１０１１は該側部１０１の上端に位置し且つ前記座布１０１３と連接され、前記接合具１０１２は前記枠１０１１の両側に連接され、前記接合具１０１２は前記固定バー１４に移動可能に設けられ、前記接合具１０１２は前記固定バー１４に対して異なる高さにロックされることにより、前記枠１０１１を異なる高さの間で切り替えられ（図１及び図２に示すように、前記枠１０１１は互いに異なる高さに位置する）、前記座布１０１３の上端は前記枠１０１１と連接し且つ両側はそれぞれその他の側部と連接して乳幼児を置く空間が形成され、前記座布１０１３には補強板を入れることができるポケットが設ければ、ベビーベッド全体の安全性を向上することができる。前記吊り床１２の上側にはリティナ１２１を有し、前記リティナ１２１により前記吊り床１２を前記座布１０１３と連接され、前記支持フレーム１０に吊り下げされる。前記吊り床１２上の各側部ともファスナー１２２を有し、前記ファスナー１２２により前記吊り床１２の各側部の間に互いに連接して固定される。前記座布１０１３の内側の両辺にそれぞれ連接片１０１３ａが設けられ、前記連接片１０１３ａは前記座布１０１３の上端に位置し、前記吊り床１２は該側部１０１に対向する該側には、可動上部１２３を含み、前記可動上部１２３の適当な部分にはファスナーテープが設けられ（不図示）、前記連接片１０１３ａを前記可動上部１２３と連接することにより、前記吊り床１２をしっかり前記支持フレーム１０に取付けられる。図７に示すように、前記可動上部１２３を取外した時に、前記吊り床１２の各側部のファスナー１２２は該側部に収納されることができる。
【００２７】
具体的に、前記枠１０１１の両端はそれぞれ前記接合具１０１２と枢接される。このようにすれば、前記枠１０１１は前記固定バー１４に対していずれの高さにロックされても、前記枠１０１１は完全に前記接合具１０１２に対して回転することができ、前記ベビーベッド１００は邪魔されずに自由に收納されることができる、例えば図８と図９に示す。
【００２８】
図１０〜図１４に示すように、前記高さ調整機構１６は操作具１６１、ロック具１６２、固定具１６３と復帰具１６４を含み、前記操作具１６１は前記接合具１０１２に移動可能に設けられ、前記ロック具１６２は前記接合具１０１２内に移動可能に設けられ、且つ前記固定バー１４と係合することができ、前記接合具１０１２を前記固定バー１４に対して異なる高さにロックされ、前記固定具１６３は前記操作具１６１とロック具１６２を前記接合具１０１２に取付け、前記復帰具１６４の一端は前記接合具１０１２と当接し、前記復帰具１６４の他端は前記固定具１６３と当接する。前記操作具１６１を操作し、前記ロック具１６２を前記固定バー１４から離脱すれば、前記接合具１０１２と枠１０１１は前記固定バー１４に沿って上下に摺動することができ、前記枠１０１１の高さの調整を行うことができる。具体的に、前記復帰具１６４はバネである。
【００２９】
具体的に、図１０と図１１に示すように、前記接合具１０１２の内外両側とも操作具１６１が設けられる。このようにすれば、２本の指で内外両側の操作具１６１を同時に操作しないと、前記ロック具１６２を前記固定バー１４から離脱することができないので、子供は容易に解錠の操作を行うことができず、前記ベビーベッドの安全性を向上することができる。但し、他の実施例には、前記操作具１６１は前記接合具１０１２の一側のみに設けられることもできる。
【００３０】
具体的に、図１２〜図１４に示すように、前記固定バー１４は長溝１４１を有し、前記長溝１４１には、異なる高さの複数の係合穴１４２が設けられ、前記接合具１０１２には前記固定バー１４の一端から外凸する凸出部１０１２ａが形成され、前記凸出部１０１２ａは前記長溝１４１内に插入すれば、前記接合具１０１２は前記長溝１４１に沿って前記固定バー１４に対して上下に摺動することができる。前記ロック具１６２は前記固定バー１４と係合され且つロックされる時に、前記ロック具１６２を複数の前記係合穴１４２のいずれ内に插入され、前記枠１０１１の異なる高さの調整を行うことができ、前記ロック具１６２は前記固定バー１４から離脱され且つ解錠される時に、前記ロック具１６２を前記係合穴１４２から退出され、前記枠１０１１は前記固定バー１４に沿って上下に摺動されることができる。
【００３１】
具体的に、図１４と図１５に示すように、前記接合具１０１２は縦方向に沿って長穴１０１２ｂが開設され、前記操作具１６１には取付け穴１６１１が開設され、前記ロック具１６２は係合具１６２１とロックピン１６２２を含み、前記係合具１６２１には傾斜穴１６２１ａが開設され、且つ前記傾斜穴１６２１ａの開設方向は水平方向と鋭角になり、前記固定具１６３は順に前記取付け穴１６１１、長穴１０１２ｂと傾斜穴１６２１ａを通し、前記操作具１６１とロック具１６２を前記接合具１０１２に取付ける。図５に示すように、前記ロックピン１６２２を前記係合穴１４２に插入又は退出すれば、前記ロック具１６２と前記固定バー１４の係合又は離脱を実現することができる。具体的に、図１０に示すように、前記係合具１６２１には凹溝１６２１ｂがさらに設けられ、前記ロックピン１６２２には係合凸部１６２２ａが設けられ、前記係合凸部１６２２ａは前記凹溝１６２１ｂ内に係入して、前記係合具１６２１とロックピン１６２２と緊密に結合して互いに固定する。前記長穴１０１２ｂの設置により、前記操作具１６１を前記長穴１０１２ｂに限定される距離内に上下に摺動することができ、同時に、前記操作具１６１は前記ロック具１６２を前記傾斜穴１６２１ａ内に左右に移動させることができ、前記ロック具１６２のロックピン１６２２を前記係合穴１４２から退出又は挿入することができる。
【００３２】
本考案の他の実施例には、前記ロック具１６２にはロックピン１６２２のみを含み、前記固定バー１４には異なる高さの複数の係合穴１４２が設けられ、前記ロックピン１６２２は前記係合穴１４２と係合又は離脱されることができる。
【００３３】
本実施例の作動について、以下のように説明する。図６に示すにように、前記接合具１０１２と前記固定バー１４は互いにロックされる時に、前記ベビーベッド１００の側部１０１とその枠１０１１は第一の高さに位置され、前記接合具１０１２とその隣接する側部１０１には前記ベビーベッド１００の頂角が形成され、親が乳幼児の世話を行う時に、前記側部１０１とその枠１０１１の高さの調整を行う必要がある場合には、前記枠１０１１を下へ調整し、２本の指を前記接合具１０１２の内外両側の操作具１６１を同時に上へ移動させば、前記操作具１６１は前記ロック具１６２を前記傾斜穴１６２１ａに設定される距離内向左へ移動させ、前記ロック具１６２のロックピン１６２２を前記係合穴１４２から退出させ、前記固定バー１４との係合を離脱させ、前記復帰具１６４が圧縮される。その後、前記枠１０１１を下へ押せば、前記枠１０１１の高さの調整を実現することができる。前記枠１０１１が下へ係合穴１４２のある位置まで摺動された時に、前記復帰具１６４の復帰作用により、前記操作具１６１が下へ摺動するように付勢され、前記操作具１６１は前記ロック具１６２を右へ移動させ、前記ロック具１６２のロックピン１６２２を前記固定バー１４下端に設けられる係合穴１４２内に插入され、再び前記固定バー１４と係合され、この時、該側部１０１とその枠１０１１は第二の高さに位置し、前記枠１０１１の高さの調整を終了し、図７に示す状態になる。この時、前記枠１０１１の高さは親の床の高さに相当し、親が眠る時の乳幼児に対する世話は便利になる。図６に示す状態に戻す必要がある時に、同様に上に前記操作具１６１を操作し、前記ロック具１６２のロックピン１６２２を前記固定バー１４から離脱し、前記枠１０１１を上へ引き上げ、前記復帰具１６４の弾性力の作用により、前記ロック具１６２のロックピン１６２２を前記固定バー１４の上端に設けられる係合穴１４２と再び係合し、図６に示す状態になる。
【００３４】
図１に示すように、前記吊り床１２は前記リティナ１２１により前記支持フレーム１０に吊り下げる時に、前記側部１０１とその枠１０１１は第一の高さに位置し、且つこの時の前記枠１０１１は前記吊り床１２に遮蔽され、前記側部１０１とその枠１０１１の高さの降下を行う必要になる時に、先に前記側部１０１の一側に対応する前記ファスナー１２２を解錠する必要があり、継いで上記説明した方法のように、前記枠１０１１を図２に示す状態に降下され、継いで前記吊り床１２の可動上部１２３を前記枠１０１１外（如図３に示す）に回せば、前記可動上部１２３は親の床と前記ベビーベッドの間に位置するので、親が乳幼児の世話をする便利性を向上することができる。
【００３５】
図１６〜図１９に示すように、本考案のベビーベッドの第二実施例２００は支持フレーム１０’、吊り床１２’（不図示）、固定バー１４’と高さ調整機構１６’を含み、前記支持フレーム１０’は複数の側部１０１’と縦バー１０２’を含み、前記複数の側部１０１’の間には前記縦バー１０２’を介して連接され、前記吊り床１２’は前記支持フレーム１０’に脱着可能に吊り下げられ、前記固定バー１４’は前記支持フレーム１０’に取付けられ、且つ前記固定バー１４’は前記縦バー１０２’の上部に位置し、前記高さ調整機構１６’は前記固定バー１４’に設けられる。その中の側部１０１’は枠１０１１’、接合具１０１２’と座布１０１３’を含み、前記枠１０１１’は該側部１０１’の上端に位置し且つ前記座布１０１３’と連接し、前記接合具１０１２’は前記枠１０１１’の両側に連接され、前記接合具１０１２’は前記固定バー１４’に移動可能に設けられる。
【００３６】
具体的に、前記枠１０１１’の両端はそれぞれ前記接合具１０１２’と枢接する。このようにすれば、前記枠１０１１’は前記固定バー１４’に対していずれの高さにロックされても、前記ベビーベッド２００は完全に自由に折り畳むことができる。
【００３７】
前記接合具１０１２’の頂端には開口１０１２’ａが開設けられ、前記固定バー１４’は前記開口１０１２’ａ内に插入されることにより、前記接合具１０１２’を前記固定バー１４’に沿って上下に摺動することができる。前記接合具１０１２’には貫通穴１０１２’ｂがさらに設けられ、前記高さ調整機構１６’は複数の前記固定バー１４’に設けられる異なる高さの位置決め穴１６１’と、複数の前記固定バー１４’内に設けられるロック具１６２’とを含み、前記ロック具１６２’には伸出する前記位置決め穴１６１’のロック部１６２１’を含み、本実施例には、前記ロック具１６２’はＶ字型のバネであり、前記接合具１０１２’は前記枠１０１１’を前記固定バー１４’に沿って上下に摺動させる時に、前記ロック具１６２’のロック部１６２１’は前記貫通穴１０１２’ｂと位置決め穴１６１’から伸出し、前記接合具１０１２’と枠１０１１’との上下摺動の位置決めを行うことができる。
【００３８】
図２０〜図２２には、本考案のベビーベッドの第三実施例を示し、第一実施例と第二実施例との異なる点は、接合具と高さ調整機構の部分のみであるので、以下、その第三実施例の接合具１０１２”と高さ調整機構１６”の構成を説明する。
【００３９】
高さ調整機構１６”は固定具１６３”、操作具１６１”、ロック具１６２”と復帰具１６４”を含み、前記固定具１６３”内には操作具１６１”の上下移動用の空間、ロック具１６２”の左右移動と復帰具１６４”の左右伸縮用の空間が形成され、図２１に示すように、前記操作具１６１”、前記ロック具１６２”と前記復帰具１６４”はそれぞれ前記固定具１６３”の各空間内に設けられ、前記操作具１６１”は前記固定具１６３”に上下移動可能に設けられ、前記ロック具１６２”は前記固定具１６３”に左右に移動可能に設けられ、前記復帰具１６４”の一端は前記ロック具１６２”に当接し、前記復帰具１６４”の他端は前記固定具１６３”に当接する。前記操作具１６１”を操作すれば、前記ロック具１６２”を前記固定バー１４から離脱させることができ、前記接合具１０１２”と枠１０１１を前記固定バー１４に沿って上下に摺動することができ、前記枠１０１１の高さの調整を実現することができる。具体的に、前記復帰具１６４”はバネである。
【００４０】
具体的に、図２０に示すように、前記接合具１０１２”の下側に操作具１６１”が設けられ、このようにすれば、子供は完全に内側と上側から解錠の操作を成功することができないので、前記ベビーベッドの安全性をより一層向上することができる。
【００４１】
具体的に、図２１、図２２に示すように、前記接合具１０１２”は朝向前記固定バー１４の一端から外凸する凸出部１０１２”ａが形成され、前記凸出部１０１２”ａは前記長溝１４１内に插入され、前記接合具１０１２”は前記長溝１４１に沿って前記固定バー１４に対して上下に摺動して、前記枠１０１１の高さを調整する。前記ロック具１６２”は前記固定バー１４と係合され且つロックされる時に、前記ロック具１６２”を前記長溝１４１にある前記係合穴１４２のいずれ内に插入され、前記枠１０１１の異なる高さの調整を行うことができ、前記ロック具１６２”は前記固定バー１４から離脱され且つ解錠される時に、前記ロック具１６２”を前記係合穴１４２から退出され、前記枠１０１１は前記固定バー１４に沿って上下に摺動されることができる。
【００４２】
具体的に、前記接合具１０１２”に、その凸出部１０１２”ａの上方には穴１０１２”ｃが設けられ、前記ロック具１６２”は係合具１６２１”とロックピン１６２２”を含み、前記係合具１６２１”には傾斜面１６２１”ａが設けられ、且つ前記操作具１６１”は前記傾斜面１６２１”ａと当接しており、前記操作具１６１”  は該前記接合具１０１２”に対して上下に摺動する際には、前記ロック具１６２２”は前記接合具１０１２”に対して左右に移動させ、この実施例には、前記操作具１６１”の上方に傾斜面１６２１”ａと対応する傾斜面を有し、接合具１０１２”を駆動して移動させ、前記ロックピン１６２２”は前記穴１０１２”ｃを通して前記係合穴１４２に插入又は退出させ、前記ロック具１６２”と前記固定バー１４との係合又は離脱を実現することができる。具体的に、前記操作具１６１”は前記固定具１６３”に形成される空間内に上下に摺動すれば、前記操作具１６１”は前記ロック具１６２”を前記固定具１６３”に形成される空間内に左右に移動され、前記ロック具１６２”のロックピン１６２２”を前記係合穴１４２から退出又は挿入することを実現することができる。
【００４３】
以上を綜合して、本考案のベビーベッドは構造が簡単で、操作も便利になる。
【００４４】
以上、本考案の一実施形態について説明したが、本考案は上記実施形態に限定して解釈されるべきではなく、適宜変更・等効な組合わせが可能であることは勿論である。
【符号の説明】
【００４５】
１０  支持フレーム
１０’  支持フレーム
１２  吊り床
１２’  吊り床
１４  固定バー
１４’  固定バー
１６  高さ調整機構
１６”  高さ調整機構
１０１  側部
１０１’  側部
１０２  縦バー
１０２’  縦バー
１２１  リティナ
１２２  ファスナー
１２３  可動上部
１４１  長溝
１４２  係合穴
１６１  操作具
１６１’  位置決め穴
１６１”  操作具
１６２  ロック具
１６２”  ロック具
１６３  固定具
１６３”  固定具
１６４  復帰具
１６４”  復帰具
１０１１  枠
１０１１’  枠
１０１２  接合具
１０１２’  接合具
１０１２”  接合具
１０１２ａ  凸出部
１０１２’  ａ開口
１０１２”  ａ凸出部
１０１２ｂ  長穴
１０１２’ｂ  貫通穴
１０１２”ｃ  穴
１０１３  座布
１０１３ａ  連接片
１６１１  取付け穴
１６２１  係合具
１６２１’  ロック部
１６２１”  係合具
１６２１ａ  傾斜穴
１６２１”ａ  傾斜面
１６２１ｂ  凹溝
１６２２  ロックピン
１６２２ａ  係合凸部
１６２２”  ロックピン
【図１】
0003176235.tif 000003
【図２】
0003176235.tif 000004
【図３】
0003176235.tif 000005
【図４】
0003176235.tif 000006
【図５】
0003176235.tif 000007
【図６】
0003176235.tif 000008
【図７】
0003176235.tif 000009
【図８】
0003176235.tif 000010
【図９】
0003176235.tif 000011
【図１０】
0003176235.tif 000012
【図１１】
0003176235.tif 000013
【図１２】
0003176235.tif 000014
【図１３】
0003176235.tif 000015
【図１４】
0003176235.tif 000016
【図１５】
0003176235.tif 000017
【図１６】
0003176235.tif 000018
【図１７】
0003176235.tif 000019
【図１８】
0003176235.tif 000020
【図１９】
0003176235.tif 000021
【図２０】
0003176235.tif 000022
【図２１】
0003176235.tif 000023
【図２２】
0003176235.tif 000024
【手続補正書】
【提出日】平成24年4月2日(2012.4.2)
【手続補正１】
【補正対象書類名】実用新案登録請求の範囲
【補正対象項目名】全文
【補正方法】変更
【補正の内容】
【実用新案登録請求の範囲】
【請求項１】
支持フレームと吊り床と固定バーとを含み、前記支持フレームは複数の側部と縦バーを含み、前記複数の側部の間に前記縦バーを介して連接されることにより前記支持フレームを構成し、前記吊り床は前記支持フレームの前記縦バーに脱着自在に吊り下げされ、前記固定バーは前記支持フレームの前記縦バーの上に位置し、その中の１つの側部は該側部の上側にある枠と、前記枠の両端に設けられ前記枠を前記固定バーと連接させるための接合具を含み、前記接合具は前記固定バーに移動可能に設けられ、且つ異なる高さで前記固定バーにロックされることができ、前記枠の高さを異なる高さに切替えられることを特徴とするベビーベッド。
【請求項２】
前記枠の両端にそれぞれ前記接合具と枢接することを特徴とする請求項１記載のベビーベッド。
【請求項３】
前記支持フレームの複数の側部の間には縦バーを介して連接され、前記固定バーは前記縦バーの上部に取付けられることを特徴とする請求項１記載のベビーベッド。
【請求項４】
前記ベビーベッドは高さ調整機構をさらに含み、前記高さ調整機構は前記接合具又は前記固定バーに設けられることにより、前記接合具を前記固定バーに対して異なる高さにロックされることを特徴とする請求項１〜３の何れか一つに記載のベビーベッド。
【請求項５】
前記固定バーは長溝を有し、前記接合具は前記固定バーの一端から外凸する凸出部が形成され、前記凸出部は前記長溝内に插入されることにより、前記接合具は前記長溝の長手方向に沿って前記固定バーに対して摺動されることを特徴とする請求項４記載のベビーベッド。
【請求項６】
前記高さ調整機構は操作具とロック具を含み、前記操作具は前記接合具に移動可能に設けられ、前記ロック具は前記接合具内に移動可能に設けられ且つ前記固定バーと係合することにより前記接合具を前記固定バーに対して異なる高さにロックされ、前記操作具を操作して、前記ロック具を前記固定バーから離脱させることを特徴とする請求項４記載のベビーベッド。
【請求項７】
前記接合具の内外の両側とも前記操作具が設けられることを特徴とする請求項６記載のベビーベッド。
【請求項８】
前記接合具には縦方向に沿って長穴が開設され、前記操作具には取付け穴が開設され、固定具は前記取付け穴と長穴を通ることにより、前記操作具は前記長穴の距離内に縦方向に沿って前記接合具に対して上下に摺動できることを特徴とする請求項６記載のベビーベッド。
【請求項９】
前記ロック具には傾斜穴が開設され、前記傾斜穴の開設方向は水平方向と鋭角になり、固定具は前記取付け穴、長穴と傾斜穴を通ることにより、前記操作具は前記接合具に対して上下に摺動する際には、前記ロック具は前記接合具に対して左右に移動させることを特徴とする請求項８記載のベビーベッド。
【請求項１０】
前記ロック具は係合具とロックピンを含み、前記係合具は前記ロックピンと係合し、前記傾斜穴は前記係合具に開設され、前記固定バーには異なる高さに複数の係合穴が設けられ、前記ロックピンは前記係合穴と係合又は離脱可能であることを特徴とする請求項９記載のベビーベッド。
【請求項１１】
前記係合具には凹溝が設けられ、前記ロックピンには係合凸部が設けられ、前記係合凸部は前記凹溝内に係入することを特徴とする請求項１０記載のベビーベッド。
【請求項１２】
前記ロック具はロックピンを含み、前記固定バーには異なる高さに複数の係合穴が設けられ、前記ロックピンは前記係合穴と係合又は離脱可能であることを特徴とする請求項６記載のベビーベッド。
【請求項１３】
前記高さ調整機構は復帰具をさらに含み、前記復帰具の一端は前記接合具と当接し、前記復帰具の他端は前記固定具と当接することを特徴とする請求項８記載のベビーベッド。
【請求項１４】
前記復帰具はバネであることを特徴とする請求項１３記載のベビーベッド。
【請求項１５】
前記接合具には開口が開設けられ、前記固定バーは前記開口内に插入することを特徴とする請求項４記載のベビーベッド。
【請求項１６】
前記接合具には貫通穴が設けられ、前記高さ調整機構は前記固定バーに設けられる異なるの高さの複数の位置決め穴と、前記固定バー内に設けられる複数のロック具を含み、且つ前記ロック具には前記位置決め穴から伸出するロック部を含み、前記接合具は固定具に沿って上下に摺動する際に、前記ロック具のロック部は前記貫通穴と位置決め穴と係合することにより、前記接合具を前記固定バーに対して異なる高さにロックされることを特徴とする請求項１５記載のベビーベッド。
【請求項１７】
前記ベビーベッドには吊り床をさらに含み、前記吊り床は前記支持フレームに吊り下げされ、前記吊り床の前記支持フレームに対して前記枠を有する側部には可動上部を有し、前記枠を有する側部は低い第二の高さまで移動された時に、前記可動上部は前記枠外へ回すことを特徴とする請求項１記載のベビーベッド。
【請求項１８】
前記吊り床はリティナにより脱着自在に前記支持フレームに吊り下げられることを特徴とする請求項１７記載のベビーベッド。
【請求項１９】
前記複数の側部にはそれぞれポケットを有し、前記ポケット内には、補強板が配置されることを特徴とする請求項１７記載のベビーベッド。
【請求項２０】
前記接合具の下側に前記操作具が設けられることを特徴とする請求項６記載のベビーベッド。
【請求項２１】
前記接合具にはロック具をさらに含み、固定具内には操作具の上下移動用の空間、ロック具の左右移動と復帰具の左右伸縮用の空間が形成され、前記操作具、前記ロック具と前記復帰具はそれぞれ前記固定具の各空間内に設けられ、前記操作具は前記固定具に上下移動可能に設けられ、前記ロック具は前記固定具に左右に移動可能に設けられることを特徴とする請求項６記載のベビーベッド。
【請求項２２】
前記ロック具には傾斜面が開設され、前記操作具は前記傾斜面と当接し、前記操作具は該前記接合具に対して上下に摺動する際には、前記ロック具は前記接合具に対して左右に移動させることを特徴とする請求項２１記載のベビーベッド。
【請求項２３】
前記ロック具は係合具とロックピンを含み、前記係合具は前記ロックピンと係合し、前記傾斜面は前記係合具に開設され、前記固定バーには異なる高さに複数の係合穴が設けられ、前記ロックピンは前記係合穴と係合又は離脱可能であることを特徴とする請求項２２記載のベビーベッド。
【請求項２４】
前記接合具には復帰具をさらに含み、前記復帰具の一端は前記ロック具と当接し、前記復帰具の他端は前記固定具と当接することを特徴とする請求項２１記載のベビーベッド。